(57)【特許請求の範囲】
【請求項１】
下記１〜７の行程を含むことを特徴とするエレベータのロープ掛け工法。
１．昇降路内にかごフレームを装入し、該かごフレームを昇降路最下部付近に位置せしめ、かつ、該かごフレーム内にワイヤドラムを転動可能に設置する行程。
２．ワイヤドラムからロープを繰り出してかごフレームの一側側から下面に設置してあるかごシーブに掛け、かつ、所要長さの端部余長を残してロープの一端部側をかごフレームの他側側にロープグリップにて固定する行程。
３．かごフレームを仮設用巻上げ機で昇降路最上部付近まで上昇させて前記端部余長を昇降路上部に設置した二つの離間した固定シーブ及び昇降路上部に吊支固定したカウンターウエイトの可動シーブに掛け回した後、ロープの一端部を昇降路上部に設置した一方のデッドエンドヒッチに連結する行程。
４．前記二つの離間した固定シーブ間のロープをかごフレームと一体で昇降可能なマシン仮設用シーブに掛け回した後、かごフレームを昇降路最下部付近まで下降させて該マシン仮設用シーブを撤去し、ループしたロープを昇降路最下部に設置した駆動シーブに掛け回すとともに、かごシーブに掛け回しているロープを昇降路最下部付近に設置した仮設用固定シーブに掛け直す行程。
５．駆動シーブに掛け回したロープの上方へ向けられたかごフレーム側のロープを固定するためにロープ固定具を取り付ける行程。
６．再びかごフレームを昇降路最上部付近に上昇させ、ワイヤドラムから繰り出されたロープの他端部側を切断して昇降路上部に設置した他方のデッドエンドヒッチに張線機を介在して連結した後、カウンターウエイトの吊支索を除去する行程。
７．再びかごフレームを昇降路最下部付近まで下降させて仮設用固定シーブ及びロープ固定具を撤去する行程。
【請求項２】
下記１〜７の行程を含むことを特徴とするエレベータのロープ掛け工法。
１．昇降路内にかごフレームを装入し、該かごフレームを昇降路最下部付近に位置せしめ、かつ、該かごフレーム内にワイヤドラムを転動可能に設置する行程。
２．ワイヤドラムからロープを繰り出してかごフレームの一側側から下面に設置してあるかごシーブに掛け、かつ、昇降路最下部付近に設置した仮設用固定シーブに掛け回し、所要長さの端部余長を残してロープの一端部側をかごフレームの他側側にロープグリップにて固定する行程。
３．かごフレームを仮設用巻上げ機で昇降路最上部付近まで上昇させて前記端部余長を昇降路上部に設置した二つの離間した固定シーブ及び昇降路上部に吊支固定したカウンターウエイトの可動シーブに掛け回した後、ロープの一端部を昇降路上部に設置した一方のデッドエンドヒッチに連結する行程。
４．前記二つの離間した固定シーブ間のロープをかごフレームと一体で昇降可能なマシン仮設用シーブに掛け回した後、かごフレームを昇降路最下部付近まで下降させて該マシン仮設用シーブを撤去し、ループしたロープを昇降路最下部に設置した駆動シーブに掛け回す行程。
５．駆動シーブに掛け回したロープの上方へ向けられたかごフレーム側のロープを固定するためにロープ固定具を取り付ける行程。
６．再びかごフレームを昇降路最上部付近に上昇させ、ワイヤドラムから繰り出されたロープの他端部側を切断して昇降路上部に設置した他方のデッドエンドヒッチに張線機を介在して連結する行程。
７．再びかごフレームを昇降路最下部付近まで下降させて仮設用固定シーブ及びロープ固定具を撤去する行程。
【請求項３】
仮設用固定シーブはかごフレームの最下降位置を想定した場合のかごシーブの位置と同じレベルに配置することを特徴とする請求項１又は２記載のエレベータのロープ掛け工法。
【請求項４】
ワイヤドラムが複数個でロープが複数本であることを特徴とする請求項１〜３のいずれか記載のエレベータのロープ掛け工法。
【請求項５】
複数個のワイヤドラムが同軸で整列してそれらのドラム周縁部が一対の離間したローラーを有する転動器に載置し、ローラーの上でワイヤドラムが転動してロープが自在に繰り出されることを特徴とする請求項４記載のエレベータのロープ掛け工法。
【請求項６】
かごシーブには外れ止め具を装着してロープがかごシーブから終始外れないようにすることを特徴とする請求項１〜５のいずれか記載のエレベータのロープ掛け工法。
【発明の詳細な説明】
【０００１】
【発明の属する技術分野】
本発明はエレベータのロープ掛け工法に関し、特にエレベータの施工に際してエレベータかごの据え付けに必要なロープの掛け回し方法に関するものである。
【０００２】
【従来の技術】
一般に、初期のエレベータは、図１４に示すように、建物内部に各層を貫通する昇降路１を設けるとともに、建物の屋上Ｒに機械室２を設けてその機械室２内に昇降駆動用機器３を据え付け、昇降路１内に装入したエレベータかご４ａとカウンターウエイト５とを所定長さのロープ６で結び、そのロープ６を機械室２の昇降駆動用機器３のシーブ８，９に掛け回すことで足りた。したがって、ロープ掛け方法としてはロープ６を単純にシーブ８，９に掛け回すことで足り、格別の困難性を有するものではなかった。
【０００３】
しかしながら、近時のエレベータは、図１５に示すように、複雑なロープ掛けが必要な施工が多く採用されている。これは、前例のような昇降路１の屋上Ｒにエレベータのためのみの機械室２を設けることが忌避され、機械室を昇降路最下部に設ける工法が採用されて来たためである。そこで、このような昇降路最上部に機械室を有しないエレベータをマシンルームレスエレベータと称しているが、この施工法における特色は前記ロープ掛けが複雑となる事にある。しかも、エレベータかごの大型化に伴い、ロープ６の本数が多くなるのが近時の傾向であり、前例の場合では１又は複数本であっても、マシンルームレスエレベータの場合には必ず複数本が用いられ、かつ、ロープ６の長さも２倍以上必要となる。
【０００４】
すなわち、図１５において、エレベータかご４ａの下面にはかごシーブ１０，１０が取り付けられ、これらのかごシーブ１０，１０にロープ６が掛け回されて昇降する構造であり、ロープ６の両端部はそれぞれ昇降路１の屋上付近の建物内部にデッドエンドヒッチ１１，１２で固定されている。また、カウンターウエイト５は可動シーブ１３にロープ６を掛け回して昇降路内を共に上下動するように垂下している。そして、エレベータかご４ａ及びカウンターウエイト５の昇降はロープ６に掛け回した駆動シーブ１５にて行うようになっている。駆動シーブ１５は昇降駆動機器（マシン）として昇降路最下部に設置されている。そのため、ロープ６には昇降路最上部に二つの固定シーブ１４，１６を設けている。
【０００５】
【発明が解決しようとする課題】
しかしながら、ロープが従来よりも長く、しかも本数の多いマシンルームレスエレベータの前記ロープ掛け施工では、ロープを一本毎に掛け回していると、ロープの順路を間違えたり、或はロープが互いに交錯し、昇降路が長い場合にはその交錯状況も容易に発見・確認できず施工能率を低下させる。しかも、ロープは、従来よりドラム等に巻き付けたものを使用することはなく、所要の長さに予め切断したものをループ状（環状）に束ねただけのものを使用することが慣例的に行われているために、ロープのもつれや暴れが生じ、ロープ掛け工事は不便と非能率、かつ、危険な状況の元で行わざるを得ない面があった。
【０００６】
そこで、本発明は上記のような不都合を解消する新しいマシンルームレスエレベータのロープ掛け工法を提供する。
【０００７】
【課題を解決するための手段】
本発明のエレベータのロープ掛け工法は、請求項１記載のように、下記１〜７の行程を含むことを特徴とするエレベータのロープ掛け工法である。
【０００８】
１．昇降路内にかごフレームを装入し、該かごフレームを昇降路最下部付近に位置せしめ、かつ、該かごフレーム内にワイヤドラムを転動可能に設置する行程。
【０００９】
２．ワイヤドラムからロープを繰り出してかごフレームの一側側から下面に設置してあるかごシーブに掛け、かつ、所要長さの端部余長を残してロープの一端部側をかごフレームの他側側にロープグリップにて固定する行程。
【００１０】
３．かごフレームを仮設用巻上げ機で昇降路最上部付近まで上昇させて前記端部余長を昇降路上部に設置した二つの離間した固定シーブ及び昇降路上部に吊支固定したカウンターウエイトの可動シーブに掛け回した後、ロープの一端部を昇降路上部に設置した一方のデッドエンドヒッチに連結する行程。
【００１１】
４．前記二つの離間した固定シーブ間のロープをかごフレームと一体で昇降可能なマシン仮設用シーブに掛け回した後、かごフレームを昇降路最下部付近まで下降させて該マシン仮設用シーブを撤去し、ループしたロープを昇降路最下部に設置した駆動シーブに掛け回すとともに、かごシーブに掛け回しているロープを昇降路最下部付近に設置した仮設用固定シーブに掛け直す行程。
【００１２】
５．駆動シーブに掛け回したロープの上方へ向けられたかごフレーム側のロープを固定するためにロープ固定具を取り付ける行程。
【００１３】
６．再びかごフレームを昇降路最上部付近に上昇させ、ワイヤドラムから繰り出されたロープの他端部側を切断して昇降路上部に設置した他方のデッドエンドヒッチに張線機を介在して連結した後、カウンターウエイトの吊支索を除去する行程。
【００１４】
７．再びかごフレームを昇降路最下部付近まで下降させて仮設用固定シーブ及びロープ固定具を撤去する行程。
【００１５】
また、本発明のエレベータのロープ掛け工法は、請求項２記載のように、下記１〜７の行程を含むことを特徴とするエレベータのロープ掛け工法である。
【００１６】
１．昇降路内にかごフレームを装入し、該かごフレームを昇降路最下部付近に位置せしめ、かつ、該かごフレーム内にワイヤドラムを転動可能に設置する行程。
【００１７】
２．ワイヤドラムからロープを繰り出してかごフレームの一側側から下面に設置してあるかごシーブに掛け、かつ、昇降路最下部付近に設置した仮設用固定シーブに掛け回し、所要長さの端部余長を残してロープの一端部側をかごフレームの他側側にロープグリップにて固定する行程。
【００１８】
３．かごフレームを仮設用巻上げ機で昇降路最上部付近まで上昇させて前記端部余長を昇降路上部に設置した二つの離間した固定シーブ及び昇降路上部に吊支固定したカウンターウエイトの可動シーブに掛け回した後、ロープの一端部を昇降路上部に設置した一方のデッドエンドヒッチに連結する行程。
【００１９】
４．前記二つの離間した固定シーブ間のロープをかごフレームと一体で昇降可能なマシン仮設用シーブに掛け回した後、かごフレームを昇降路最下部付近まで下降させて該マシン仮設用シーブを撤去し、ループしたロープを昇降路最下部に設置した駆動シーブに掛け回す行程。
【００２０】
５．駆動シーブに掛け回したロープの上方へ向けられたかごフレーム側のロープを固定するためにロープ固定具を取り付ける行程。
【００２１】
６．再びかごフレームを昇降路最上部付近に上昇させ、ワイヤドラムから繰り出されたロープの他端部側を切断して昇降路上部に設置した他方のデッドエンドヒッチに張線機を介在して連結する行程。
【００２２】
７．再びかごフレームを昇降路最下部付近まで下降させて仮設用固定シーブ及びロープ固定具を撤去する行程。
【００２３】
したがって、ワイヤドラムを搭載したかごフレームを、仮設用巻上げ機で上げ下げしてロープを繰り出しながら固定シーブ，駆動シーブ，固定シーブ，可動シーブにそれぞれ掛け回し、ロープの一端部を一方のデッドエンドヒッチに連結する一方、ワイヤドラムから繰り出して切断した他端部を他方のデッドエンドヒッチに連結することができるために、ロープの順路間違いや交錯を生じることが無く、スムーズに、かつ、迅速に短時間でロープ掛け施工が可能になる。
【００２４】
【発明の実施の形態】
以下、本発明の実施の形態について図面を参照して説明する。本発明の第１実施例を図１から図６に基づき説明する。
【００２５】
図１に示すように、マシンルームレスエレベータ用の昇降路１内の最上部に二つの固定シーブ１４，１６及び仮設用巻上げ機１７を設置するとともに、カウンターウエイト５を吊支する。カウンターウエイト５は可動シーブ１３と共にチェーンブロック等の吊支具１８にて昇降路天井部付近に吊支して垂下しないように固定しておく。
【００２６】
そこで、まず第１行程として、昇降路１内にかごフレーム４を装入し、仮設用巻上げ機１７とロープ１９にて連結する。かごフレーム４は昇降路１内の最下降位置を想定した位置と同じレベルに配置する。そして、かごフレーム４の下面にあるかごシーブ１０，１０の位置とほぼ同じレベルに仮設用固定シーブ２１，２２を図示外のガイドレール（メインレール）等に設置する。なお、図示にあっては説明を分かりやすくするため、仮設用固定シーブ２１，２２は昇降路最下部に固定した状態で図示している。
【００２７】
かごフレーム４はエレベータかごの枠体であって本設用のものである。また、このかごフレーム４には作業用の適宜の台（ユニットフレーム等）を付加して作業性を向上させることも可能である。このかごフレーム４内に例えば３つのワイヤドラム２０を自転してロープ繰り出し自在に設置する。ワイヤドラム２０は、かごフレーム４の内底部に載置する転動器２３内に転動可能に配置される。転動器２３は、図７に示すように、略方形の囲繞体２４の凹部２５内に一対のローラー２６，２６を転動可能に配置し、それらのローラー２６，２６上に載置して３つのワイヤドラム２０（２７，２８，２９）をそれぞれ転動可能に配置する。ワイヤドラム２７，２８，２９にはそれぞれロープ６が捲回してある。
【００２８】
第２行程として、３つのワイヤドラム２０からそれぞれロープ６を繰り出し、３本のロープ６はかごフレーム４に脱着自在なガイドプーリー等（図示略）を介し下面に設置された一側側のかごシーブ１０を経て他側側のかごシーブ１０に掛け回し、それぞれ所定長さの端部余長６ａを残してロープグリップ３０でかごフレーム４に固定する。さらに、図８にも示すように、ロープ６がかごシーブ１０から外れないように、ロープ６を係合するシーブ溝３１を外れ止め具３２で閉じることにより、ロープ６がかごシーブ１０から終始外れないようにしておく。
【００２９】
第３行程として、仮設用巻上げ機１７を駆動してかごフレーム４を上昇させる（図１中矢示Ａ）。かごフレーム４が最上層まで到達する間、ロープ６はワイヤドラム２０から繰り出される。そこで、図２に示すように、かごフレーム４からロープグリップ３０を取り外し、３本のロープ６の端部余長６ａを、それぞれシーブ１６，１４，１３に掛け回し、端部余長６ａの端部（ロープ６の一端部）は昇降路１の天井部付近にデッドエンドヒッチ１２で固定する。このとき、シーブ１６，１４間のロープ６ｂは下方へループして垂れ下がらせておく。
【００３０】
第４行程として、シーブ１４，１６間のロープ６ｂにマシン仮設用シーブ３３を介在させる。マシン仮設用シーブ３３は連結具３４にてかごフレーム４に連結固定されている。ついで、仮設用巻上げ機１７を駆動してかごフレーム４を下降させる（図２中矢示Ｂ）。かごフレーム４が最下層まで到達する間、ロープ６はワイヤドラム２０から繰り出される。
【００３１】
そこで、図３に示すように、かごフレーム４の最下部位で、連結具３４を取り外してマシン仮設用シーブ３３をさらに下降させる（図３中矢示Ｃ）ことによりロープ６を更に繰り出し、ロープ６ｂをマシン仮設用シーブ３３から外し、そのループ部を駆動シーブ１５に掛け回す（図４参照）。かくして、３本のロープ６の一端部側はデッドエンドヒッチ１２で天井部付近に固定され、かくしてロープ６は可動シーブ１３、固定シーブ１４、駆動シーブ１５、固定シーブ１６にそれぞれ通例通り掛け回されたことになる。
【００３２】
なお、このとき、図４に示すように、かごシーブ１０，１０間に掛け回されているロープ６を仮設用固定シーブ２１，２２に掛け直す。
【００３３】
第５行程として、図５に示すように、固定シーブ１４から駆動シーブ１５に、又は、駆動シーブ１５から固定シーブ１６に掛け回されたロープ６のいずれか一方にロープ固定治具３５を取り付ける。このロープ固定具３５はかごフレーム４のガイドレール又はピット等に固定してカウンターウエイト５が下降するのを一時阻止するものである。
【００３４】
第６行程として、仮設用巻上げ機１７を駆動してかごフレーム４を上昇させる（図３中矢示Ｄ）。かごフレーム４が最上層まで到達する間、ロープ６はワイヤドラム２０から繰り出される。ついで、ワイヤドラム２０側のロープ６を天井部付近まで繰り出し、ワイヤドラム２０から切断したロープ６の他端部をデッドエンドヒッチ１１に設置した張線機（図示略）に結合してテンションを掛ける。この前に、カウンターウエイト５の吊支具１８（図３参照）を取り外すことにより、カウンターウエイト５の自重をロープ６に掛け、カウンターウエイト５側のロープ６のテンションを取っておく。
【００３５】
第７行程として、３本のロープ６の両端部がそれぞれデッドエンドヒッチ１１，１２に結合された後、図６に示すように、仮設用巻上げ機１７を駆動して再びかごフレーム４を下降させ（図４中矢示Ｅ）ロープ固定具３５を取り外すともに、かごフレーム４が最下部位に下降して静止した状態で仮設用固定シーブ２１，２２を取り外す。
【００３６】
最終行程として、駆動用シーブ１５を昇降用駆動機器３で駆動すれば、かごフレーム４は図１３中矢示Ｆのように昇降できる。そこで、かごフレーム４を昇降路最上部付近まで上昇させて仮設用巻上げ機１７を撤去する。また、かごフレーム４から転動器２３及びワイヤドラム２０を撤去する。
【００３７】
次に本発明の第２実施例を図９から図１３に基づき説明する。
【００３８】
図９に示すように、マシンルームレスエレベータ用の昇降路１内の最上部に二つの固定シーブ１４，１６及び仮設用巻上げ機１７を設置するとともに、カウンターウエイト５を吊支する。カウンターウエイト５は可動シーブ１３と共にチェーンブロック等の吊支具１８にて昇降路天井部付近に吊支して垂下しないように固定しておく。
【００３９】
そこで、まず第１行程として、昇降路１内にかごフレーム４を装入し、仮設用巻上げ機１７とロープ１９にて連結する。かごフレーム４は昇降路１内の最下降位置を想定した位置と同じレベルに配置する。そして、かごフレーム４の下面にあるかごシーブ１０，１０の位置とほぼ同じレベルに仮設用固定シーブ２１，２２を図示外のガイドレール（メインレール）等に設置する。なお、図示にあっては説明を分かりやすくするため、仮設用固定シーブ２１，２２は昇降路最下部に固定した状態で図示している。
【００４０】
かごフレーム４はエレベータかごの枠体であって本設用のものである。また、このかごフレーム４には作業用の適宜の台（ユニットフレーム等）を付加して作業性を向上させることも可能である。このかごフレーム４内に例えば３つのワイヤドラム２０を自転してロープ繰り出し自在に設置する。ワイヤドラム２０は、かごフレーム４の内底部に載置する転動器２３内に転動可能に配置される。転動器２３は、図７に示すように、略方形の囲繞体２４の凹部２５内に一対のローラー２６，２６を転動可能に配置し、それらのローラー２６，２６上に載置して３つのワイヤドラム２０（２７，２８，２９）をそれぞれ転動可能に配置する。ワイヤドラム２７，２８，２９にはそれぞれロープ６が捲回してある。
【００４１】
第２行程として、３つのワイヤドラム２０からそれぞれロープ６を繰り出し、３本のロープ６はかごフレーム４に脱着自在なガイドプーリー等（図示略）を介し下面に設置された一側側のかごシーブ１０を経て仮設用固定シーブ２１，２２及び他側側のかごシーブ１０に掛け回し、それぞれ所定長さの端部余長６ａを残してロープグリップ３０でかごフレーム４に固定する。さらに、図８にも示すように、ロープ６がかごシーブ１０から外れないように、ロープ６を係合するシーブ溝３１を外れ止め具３２で閉じることにより、ロープ６がかごシーブ１０から終始外れないようにしておく。
【００４２】
第３行程として、仮設用巻上げ機１７を駆動してかごフレーム４を上昇させる（図９中矢示Ａ）。かごフレーム４が最上層まで到達する間、ロープ６はワイヤドラム２０から繰り出される。そこで、図１０に示すように、かごフレーム４からロープグリップ３０を取り外し、３本のロープ６の端部余長６ａを、それぞれシーブ１６，１４，１３に掛け回し、端部余長６ａの端部（ロープ６の一端部）は昇降路１の天井部付近にデッドエンドヒッチ１２で固定する。
【００４３】
第４行程として、シーブ１４，１６の間にマシン仮設用シーブ３３を介在させる。マシン仮設用シーブ３３は連結具３４にてかごフレーム４に連結固定する。ついで、仮設用巻上げ機１７を駆動してかごフレーム４を下降させる（図１０中矢示Ｂ）。かごフレーム４が最下層まで到達する間、ロープ６はワイヤドラム２０から繰り出される。そこで、図１１に示すように、かごフレーム４の最下部位で、連結具３４を取り外してマシン仮設用シーブ３３をさらに下降させる（図３中矢示Ｃ）ことによりロープ６を更に繰り出し、ロープ６をマシン仮設用シーブ３３から外し、そのループ部を駆動シーブ１５に掛け回す（図１２参照）。かくして、３本のロープ６の一端部側はデッドエンドヒッチ１２で天井部付近に固定され、かくしてロープ６は可動シーブ１３、固定シーブ１４、駆動シーブ１５、固定シーブ１６にそれぞれ通例通り掛け回されたことになる。
【００４４】
第５行程として、図１３に示すように、固定シーブ１４から駆動シーブ１５に、又は、駆動シーブ１５から固定シーブ１６に掛け回されたロープ６のいずれか一方にロープ固定治具３５を取り付ける。このロープ固定具３５はかごフレーム４のガイドレール又はピット等に固定してカウンターウエイト５が下降するのを一時阻止するものである。ついで、カウンターウエイト５の吊支具１８（図１１参照）を取り外すことにより、カウンターウエイト５の自重をロープ６に掛け、テンションを取る。なお、ロープ固定具３５の設置をやめてカウンターウエイト５の吊支解除は最終行程において行うこととして、ロープの伸びや全体のテンションを調整するようにしてもよい。
【００４５】
第６行程として、仮設用巻上げ機１７を駆動してかごフレーム４を上昇させる（図１１中矢示Ｄ）。かごフレーム４が最上層まで到達する間、ロープ６はワイヤドラム２０から繰り出される。ついで、ワイヤドラム２０側のロープ６を天井部付近まで繰り出し、ワイヤドラム２０から切断したロープ６の他端部をデッドエンドヒッチ１１に設置した張線機（図示略）に結合してテンションを掛ける。
【００４６】
第７行程として、３本のロープ６の両端部がそれぞれデッドエンドヒッチ１１，１２に結合された後、仮設用巻上げ機１７を駆動して再びかごフレーム４を下降させる（図１２中矢示Ｅ）。図１３に示すように、かごフレーム４が最下部位に下降して静止した状態で仮設用固定シーブ２１，２２を取り外し、かつ、ロープ固定具３５を取り外す。
【００４７】
最終行程として、駆動用シーブ１５を昇降用駆動機器３で駆動すれば、かごフレーム４は図１３中矢示Ｆのように昇降できる。そこで、かごフレーム４を昇降路最上部付近まで上昇させて仮設用巻上げ機１７を撤去する。また、かごフレーム４から転動器２３及びワイヤドラム２０を撤去する。
【００４８】
このように、複数のワイヤドラム２７，２８，２９を搭載したかごフレーム４を、仮設用巻上げ機１７で上げ下げして複数本のロープ６を繰り出しながら固定シーブ１６，駆動シーブ１５，固定シーブ１４，可動シーブ１３にそれぞれ掛け回し、それらのロープ６の一端部を一方のデッドエンドヒッチ１２に連結する一方、ワイヤドラム２７，２８，２９から繰り出して切断した他端部を他方のデッドエンドヒッチ１１に連結することができるために、ロープの順路間違いや交錯を生じることが無く、スムーズに、かつ、迅速に短時間でロープ掛け施工が可能になる。
【００４９】
【発明の効果】
以上説明したこの発明によれば、マシンルームレスエレベータのロープ掛け施工が簡便・迅速かつ容易にでき、施工能率が向上する。したがって、従前のロープ掛け施工に要した作業員の人数も削減できる。また、ロープはワイヤドラムに巻かれたものを転動器で自転可能に支持して繰り出し自在にしたから、ロープが暴れたり、もつれたりすることもなく、しかも、複数個のワイヤドラムを同軸で整列して転動器に載置するとともに、かごシーブにロープの外れ止め具を設けてロープがかごシーブから終始外れないようにしたので、複数本のロープが常に整然と繰り出されるから、互いに交錯することがない。
【図面の簡単な説明】
【図１】第１実施例におけるロープ掛け施工の初期行程を示す側面概要図。
【図２】第１実施例におけるロープ掛け施工の中間行程を示す側面概要図。
【図３】第１実施例におけるロープ掛け施工の中間行程を示す側面概要図。
【図４】第１実施例におけるロープ掛け施工の中間行程を示す側面概要図。
【図５】第１実施例におけるロープ掛け施工の中間行程を示す側面概要図。
【図６】第１実施例におけるロープ掛け施工の終期行程を示す側面概要図。
【図７】ワイヤドラムとその転動器の正面図（Ａ）及び側面図（Ｂ）。
【図８】ロープとかごシーブとの外れ止めを示す断面図。
【図９】第２実施例におけるロープ掛け施工の初期行程を示す側面概要図。
【図１０】第２実施例におけるロープ掛け施工の中間行程を示す側面概要図。
【図１１】第２実施例におけるロープ掛け施工の中間行程を示す側面概要図。
【図１２】第２実施例におけるロープ掛け施工の中間行程を示す側面概要図。
【図１３】第２実施例におけるロープ掛け施工の終期行程を示す側面概要図。
【図１４】従来のロープ掛け施工例を示す側面概要図。
【図１５】マシンルームレスエレベータのロープ掛け施工例図。
【符号の説明】
１…昇降路
３…昇降駆動用機器
４…エレベータかご
５…カウンターウエイト
６…ワイヤロープ
６ａ…端部余長
１０…かごシーブ
１１，１２…デッドエンドヒッチ
１３…可動シーブ
１４，１６…固定シーブ
１５…駆動シーブ
１７…仮設用巻上げ機
１８…吊支具
２０（２７，２８，２９）…ワイヤドラム
２１，２２…仮設用固定シーブ
２３…転動器
２６…ローラー
３０…ロープグリップ
３２…外れ止め具
３３…マシン仮設用シーブ
３４…連結具
３５…ロープ固定具
【図１】
0004491110.tif 000002
【図２】
0004491110.tif 000003
【図３】
0004491110.tif 000004
【図４】
0004491110.tif 000005
【図５】
0004491110.tif 000006
【図６】
0004491110.tif 000007
【図７】
0004491110.tif 000008
【図８】
0004491110.tif 000009
【図９】
0004491110.tif 000010
【図１０】
0004491110.tif 000011
【図１１】
0004491110.tif 000012
【図１２】
0004491110.tif 000013
【図１３】
0004491110.tif 000014
【図１４】
0004491110.tif 000015
【図１５】
0004491110.tif 000016